(57)【特許請求の範囲】
【請求項１】
下記の化学式１で表される化合物（カルボキシ基を含む場合には、Ｎａ＋、またはＫ＋塩）と金属イオンの配位結合で形成された有機金属複合体を含み、
前記金属イオンの金属は、Ｔｉ、Ｖ、Ｍｎ、Ｆｅ、Ｃｏ、Ｎｉ、Ｃｕ、Ｚｎ、Ｚｒ、Ｍｏ、Ｒｕ、Ｒｈ、Ｐｄ、Ａｇ、Ｉｒ、Ｐｔ、Ａｕ、またはランタン族金属であることを特徴とする、酸性化合物検出用組成物：
【化１】
0006896321.tif 000012
前記化学式１において、
Ｒは、それぞれ独立して、−Ｒ１、−ＮＨ−ＣＯ−Ｒ２、または−ＮＨ−Ｒ２であり、
Ｒ１は、それぞれ独立して、−ＯＨ、またはアミノ酸残基であり、
前記アミノ酸残基は、アミノ酸の構造からアミノ基を除いた構造であり、
Ｒ２は、Ｃ１−１０アルキル、Ｃ６−６０アリール、またはＮ、ＯおよびＳのうちのいずれか１つを含むＣ４−６０ヘテロアリールである。
【請求項２】
Ｒ１は、それぞれ独立して、−ＯＨ、またはアラニン、システイン、アスパラギン酸、グルタミン酸、フェニルアラニン、ヒスチジン、イソロイシン、リシン、ロイシン、メチオニン、アスパラギン、ピロリシン、グルタミン、アルギニン、セリン、トレオニン、セレノシステイン、バリン、トリプトファン、チロシンから構成される群より選択されるいずれか１つのアミノ酸の残基であることを特徴とする、請求項１に記載の酸性化合物検出用組成物。
【請求項３】
Ｒ２は、メチル、エチル、プロピル、イソプロピル、ブチル、イソブチル、タート−ブチル、ペンチル、タート−ペンチル、ネオペンチル、イソペンチル、ｓｅｃ−ペンチル、３−ペンチル、ヘキシル、オクチル、フェニル、ナフチル、またはピリジニルであることを特徴とする、請求項１に記載の酸性化合物検出用組成物。
【請求項４】
前記化学式１で表される化合物は、下記の化学式１−１〜１−５で表される化合物であることを特徴とする、請求項１に記載の酸性化合物検出用組成物：
【化２】
0006896321.tif 000013
【化３】
0006896321.tif 000014
【化４】
0006896321.tif 000015
【請求項５】
前記ランタン族金属は、Ｔｂ、Ｅｕ、またはＹｂであることを特徴とする、請求項１〜４のいずれか一項に記載の酸性化合物検出用組成物。
【請求項６】
前記酸性化合物は、液体または気体である、請求項１〜５のいずれか一項に記載の酸性化合物検出用組成物。
【請求項７】
前記酸性化合物は、塩化水素、フッ化水素、臭化水素、トリフルオロ酢酸、酢酸、窒素酸化物、硝酸、硫黄酸化物、または硫酸である、請求項１〜６のいずれか一項に記載の酸性化合物検出用組成物。
【発明の詳細な説明】
【技術分野】
【０００１】
関連出願との相互参照
本出願は、２０１８年１月２６日付の韓国特許出願第１０−２０１８−００１０２７３号に基づく優先権の利益を主張し、当該韓国特許出願の文献に開示されたすべての内容は本明細書の一部として含まれる。
【０００２】
本発明は、酸性化合物検出用組成物およびこれを用いて酸性化合物を検出する方法に関する。
【背景技術】
【０００３】
有機−金属複合体から構成されたネットワークの形成で作られたハイブリッド物質は、単一素材からなる有機材料や無機材料が有する限界を乗り越えて、各自の利点を同時に実現して新たな物性を有することができる。また、有機成分と無機成分の選択および組み合わせにより物質の構造的多様性とデザインの精巧さも極大化することができる。このような有機−金属複合体の代表的な産業的利用のケースとして、エネルギー貯蔵、生体医薬品、センサ、半導体回路素子などがある。
【０００４】
有機−金属複合体のうち、メタロゲル（ｍｅｔａｌｌｏｇｅｌ）は、最近、本格的に研究され始めた。メタロゲルは、多座配位性（ｍｕｌｔｉｄｅｎｔａｔｅ）リガンドと金属イオンが重合体またはネットワークを形成する過程で物質間の空間に溶媒が捕集されるメカニズムにより生成される。構造的に多様なリガンドと様々な金属イオンの配位結合により、先に言及した有機−金属複合体の利点である構造的多様性を実現することができる。また、少量のゲル形成分子（ｇｅｌａｔｏｒ）を用いて大きな体積のバルク物質を作り、物性を制御できるという利点もある。
【０００５】
有機−金属複合材料のメタロゲルは、有機ゲル（ｏｒｇａｎｏｇｅｌ）とは異なり、配位結合構造の変化を利用して気体分子を検知することができる。例えば、酸性気体分子によって誘発されるｐＨ変化をメタロゲルで検知することができる。酸性気体分子がゲル内部溶媒のｐＨを変化させると、金属が解離してネットワークが崩れ、その結果、バルク物質が溶液相に変化して崩れ落ちる物理的変化（ゾル−ゲル転移；ｓｏｌ−ｇｅｌ  ｔｒａｎｓｉｔｉｏｎ）が生じる。これにより、酸性気体分子を検知することができる。その他にも、気体分子が金属に配位して金属の酸化数を変化させる酸化−還元反応を利用する検知戦略も活発に研究された（Ｔ．Ｐａｌ  ｅｔ  ａｌ．ＡＣＳ  Ａｐｐｌ．Ｍａｔｅｒ．Ｉｎｔｅｒｆａｃｅｓ２０１４、６、６３０８−６３１６）。
【０００６】
本発明者らは、有機−金属複合体のメタロゲルが酸性化合物に感応して視覚的に容易に確認可能なゾル−ゲル転移を示す反応性を確認した。これに基づいて、多様な金属−リガンド組み合わせの組成と重量パーセント（ｗｅｉｇｈｔ  ｐｅｒｃｅｎｔ）を変化させてメタロゲルを合成した。酸性気体フロー下、様々な種類のゲルがゾル−ゲル転移により液体状に変化する時間の測定により、金属の種類と重量パーセントに応じて感応性を制御できることを確認して、本発明を完成した。
【発明の概要】
【発明が解決しようとする課題】
【０００７】
本発明は、酸性化合物検出用組成物およびこれを用いて酸性化合物を検出する方法を提供する。
【課題を解決するための手段】
【０００８】
上記の課題を解決するために、本発明は、下記の化学式１で表される化合物またはその塩と金属イオンの配位結合で形成された有機金属複合体を含む、酸性化合物検出用組成物を提供する：
【０００９】
【化１】
0006896321.tif 000002
【００１０】
前記化学式１において、
Ｒは、それぞれ独立して、−Ｒ１、−ＮＨ−ＣＯ−Ｒ２、または−ＮＨ−Ｒ２であり、
Ｒ１は、それぞれ独立して、−ＯＨ、Ｃ６−６０アリール、Ｃ１−１０アルキル、またはアミノ酸残基であり、
Ｒ２は、Ｃ１−１０アルキル、Ｃ６−６０アリール、またはＮ、ＯおよびＳのうちのいずれか１つを含むＣ４−６０ヘテロアリールである。
【００１１】
前記化学式１で表される化合物は、ビフェニル（ｂｉｐｈｅｎｙｌ）の母核構造を有しており、パイ−コンジュゲーション（π−ｃｏｎｊｕｇａｔｉｏｎ）を介して電荷移動（ｃｈａｒｇｅ  ｔｒａｎｓｆｅｒ）が可能である。また、前記化学式１で表される化合物は、各ベンゼン環にヒドロキシ基を有しており、ヒドロキシ基のオルト（ｏｒｔｈｏ）位に２個のイミン基を有しており、このようなヒドロキシ基とイミン基を介して金属と配位結合が可能である。
【００１２】
特に、前記化学式１で表される化合物は、ヒドロキシ基およびイミン基のほか、イミン基に置換されている置換基Ｒが金属イオンと追加的な配位結合が可能なＲ１置換基、アミド結合（−ＮＨ−ＣＯ−Ｒ２）、またはアミン基（−ＮＨ−Ｒ２）を有することができるという特徴がある。これにより、前記ヒドロキシ基およびイミン基を介した金属イオンとの配位結合以外にも、追加的に金属イオンと配位結合が可能で、前記化学式１で表される化合物と金属イオンは、２次元または３次元のネットワーク構造が形成される。
【００１３】
一例として、前記化学式１において、Ｒが−ＯＨの化合物は、フェノキシドとイミン基およびオキシム部分のヒドロキシ基が様々な金属と配位結合をすることができる。塩基性条件でこの化合物に金属塩を添加する場合、ゲル（ｇｅｌ）の形態で配位結合ネットワークを形成することができ、予想されるネットワークの構造は図１に示した。
【００１４】
前記有機金属複合体は、メタロゲルであって、酸性化合物と反応して液体に変換される特徴があり、この過程は、視覚的に確認可能で酸性化合物の検出に使用することができる。
【００１５】
具体的には、前記有機金属複合体は、塩基性条件下で脱プロトン化されたリガンドが金属と配位してネットワークが形成されてメタロゲルとして存在するので、酸性化合物と反応してリガンドのプロトン化により金属イオンが解離しながらネットワークが崩れて液体状に変換される。
【００１６】
前記金属イオンの金属は特に制限されず、一例として、Ｔｉ、Ｖ、Ｍｎ、Ｆｅ、Ｃｏ、Ｎｉ、Ｃｕ、Ｚｎを含む１周期遷移金属、Ｚｒ、Ｍｏ、Ｒｕ、Ｒｈ、Ｐｄ、Ａｇなどの２周期遷移金属、Ｉｒ、Ｐｔ、Ａｕなどの３周期遷移金属だけでなく、Ｔｂ、Ｅｕ、Ｙｂなどのランタン族金属も含む。特に、酸性化合物を検出するという点から、Ｃｏ、Ｃｕ、またはＺｎが好ましい。
【００１７】
前記化学式１において、好ましくは、Ｒ１が−ＯＨ、またはアミノ酸残基である。
【００１８】
好ましくは、Ｒ１は、それぞれ独立して、−ＯＨ、フェニル、ナフチル、メチル、エチル、プロピル、イソプロピル、ブチル、イソブチル、タート−ブチル、ペンチル、タート−ペンチル、ネオペンチル、イソペンチル、ｓｅｃ−ペンチル、もしくは３−ペンチルであるか、またはアラニン、システイン、アスパラギン酸、グルタミン酸、フェニルアラニン、ヒスチジン、イソロイシン、リシン、ロイシン、メチオニン、アスパラギン、ピロリシン、グルタミン、アルギニン、セリン、トレオニン、セレノシステイン、バリン、トリプトファン、チロシンから構成される群より選択されるいずれか１つのアミノ酸の残基である。
【００１９】
前記アミノ酸残基とは、アミノ酸の構造からアミノ基を除いた構造を意味する。アミン基は、アルデヒドと縮合してイミンを形成する。例えば、アラニン（ａｌａｎｉｎｅ）の場合、アラニンの構造からアミン基を除いたプロピオン酸（ｐｒｏｐｉｏｎｉｃ  ａｃｉｄ）がアミノ酸残基となる。
【００２０】
また、好ましくは、Ｒ２は、メチル、エチル、プロピル、イソプロピル、ブチル、イソブチル、タート−ブチル、ペンチル、タート−ペンチル、ネオペンチル、イソペンチル、ｓｅｃ−ペンチル、３−ペンチル、ヘキシル、オクチル、フェニル、ナフチル、またはピリジニルである。
【００２１】
また、前記化学式１で表される化合物がカルボキシ基を含む場合には、塩の形態で存在することができ、この時、対イオン（ｃｏｕｎｔｅｒ  ｉｏｎ）は、Ｎａ＋、Ｋ＋などになってもよい。
【００２２】
前記化学式１で表される化合物の代表例は、下記の化学式１−１〜１−５で表される化合物のうちのいずれか１つである：
【００２３】
【化２】
0006896321.tif 000003
【化３】
0006896321.tif 000004
【化４】
0006896321.tif 000005
【００２４】
また、本発明は、前述した化学式１で表される化合物の製造方法として、下記反応式１のような製造方法を提供する：
【００２５】
【化５】
0006896321.tif 000006
【００２６】
具体的には、前記製造方法は、前記化学式１’で表される化合物、前記化学式２’で表される化合物およびトリフルオロ酢酸を反応させて、前記化学式３’で表される化合物を製造する段階（段階１）；および前記化学式３’で表される化合物を前記化学式４’で表される化合物と反応させる段階を含む。
【００２７】
前記段階１は、Ｄｕｆｆ反応（Ｄｕｆｆ  ｒｅａｃｔｉｏｎ）であって、前記化学式１’で表される化合物のヒドロキシ基のオルト（ｏｒｔｈｏ）位にアルデヒド基を置換させる反応である。
【００２８】
好ましくは、前記化学式１で表される化合物と前記化学式２で表される化合物のモル比は、１：２０である。また、前記トリフルオロ酢酸は、溶媒の役割も同時に果たすもので、前記化学式１で表される化合物と前記化学式２で表される化合物をすべて溶解できる程度に使用することが好ましい。
【００２９】
好ましくは、前記段階１の反応温度は、１００℃〜１５０℃である。また、好ましくは、前記段階１の反応時間は、１日〜１０日である。
【００３０】
前記段階１の反応後、生成物を得る段階が追加されてもよい。一例として、１モル〜５モルの過剰の塩酸に反応混合物を添加し、１日〜３日間撹拌して沈殿物を得ることができる。その精製のために、沈殿物をジメチルスルホキシドで再結晶して、化学式３’で表される化合物を得ることができる。
【００３１】
前記段階２は、アルデヒドとヒドロキシアミンが反応してアルドオキシムを形成する反応であって、前記化学式３’で表される化合物のアルデヒドにアルドオキシムを形成させる反応である。前記化学式４’で表される化合物において、Ｒの定義は、先に化学式１で定義した通りである。
【００３２】
前記段階２の反応の溶媒としては、水、Ｃ１−４アルコール、またはこれらの混合溶媒が好ましく、水／エタノール混合溶媒、または水／メタノール混合溶媒がより好ましい。
【００３３】
前記段階２の反応後、生成物を得る段階が追加されてもよい。一例として、前記段階２の反応後、過剰の水を添加して生成される沈殿物をろ過し、水とアセトンで順次に洗浄して、化学式１で表される化合物を得ることができる。
【００３４】
また、前記有機金属複合体は、前述した化学式１で表される化合物および前記金属の前駆体を混合して製造することができる。
【００３５】
好ましくは、前記化学式１で表される化合物と金属前駆体のモル比は、１：１〜１：４であり、好ましくは１：２（配位数が６の金属を用いる場合）または１：３（配位数が４の金属を用いる場合）である。さらに、溶媒は、ジメチルスルホキシドあるいはジメチルホルムアミドが好ましく、追加的にトリエチルアミンやソジウムメトキシドなどの塩基を１当量以上使用することが好ましい。
【００３６】
好ましくは、前記反応は、１０〜４０℃である。また、前記反応後に、超音波処理、または１００℃〜１４０℃で１０分〜１０時間加熱が追加される。
【００３７】
前述のように、本発明による有機金属複合体は、メタロゲルであって、酸性化合物と反応して液体に変換される特徴があり、この過程は、視覚的に確認可能で酸性化合物の検出に使用することができる。
【００３８】
前記酸性化合物は、本発明による有機金属複合体の転移を誘導する化合物を意味する。好ましくは、前記酸性化合物は、液体または気体の形態であり、より好ましくは、気体の形態である。また、前記酸性化合物の具体例としては、塩化水素、フッ化水素、臭化水素、トリフルオロ酢酸、酢酸、窒素酸化物（ＮＯｘ）、硝酸、硫黄酸化物（ＳＯｘ）、または硫酸が挙げられる。
【００３９】
後述する実施例のように、本発明による有機金属複合体は、塩化水素気体への露出時に液体状に変化し、重量パーセントと金属イオンの種類によって液体に変化する速度の差があることを確認することができた。これにより、酸性化合物ガスセンサへの応用の可能性を確認しただけでなく、有機金属複合体の組成を制御することによって、ガスセンサの感度を向上させることができることを確認した。
【発明の効果】
【００４０】
上述のように、本発明による酸性化合物検出用組成物は、有機金属複合体の特性を利用して視覚的に酸性化合物の検出を確認することができるという特徴がある。
【図面の簡単な説明】
【００４１】
【図１】本発明の有機金属複合体のネットワークの構造を模式的に示すものである。
【図２】本発明の酸性化合物検出用組成物がシリンダ内に装着された様子を示すものである。
【図３】本発明の有機金属複合体が液体に変化するのにかかる時間（秒）をグラフで示すものである。
【図４】本発明の実験例においてコバルトメタロゲルが重量パーセントごとに時間に応じて液体に変化する様子を示すものである。
【図５】本発明の実験例において銅メタロゲルが重量パーセントごとに時間に応じて液体に変化する様子を示すものである。
【図６】本発明の実験例において亜鉛メタロゲルが重量パーセントごとに時間に応じて液体に変化する様子を示すものである。
【図７】本発明の実験例において亜鉛メタロゲルがトリフルオロ酢酸によって溶け落ちる過程を時間ごとに示した結果を示すものである。
【発明を実施するための形態】
【００４２】
以下、本発明の理解のために好ましい実施例を提示する。しかし、下記の実施例は本発明をより容易に理解するために提供されるものに過ぎず、これによって本発明の内容が限定されるものではない。
【実施例】
【００４３】
製造例：テトラオキシムビフェニルジオールの製造
【化６】
0006896321.tif 000007
【００４４】
（段階１）
乾燥した丸底フラスコにＨＭＴＡ（ｈｅｘａｍｅｔｈｙｌｅｎｅｔｅｔｒａｍｉｎｅ、７．５３０ｇ、５３．７０ｍｍｏｌ）を入れた。前記フラスコをアルゴンパージングし、ＴＦＡ（ｔｒｉｆｌｕｏｒｏａｃｅｔｉｃ  ａｃｉｄ、５０ｍＬ）を入れた。ＨＭＴＡを完全に溶解させた後、ビフェニル−４，４’−ジオール（１．０００ｇ、５．３７０ｍｍｏｌ）を速やかに入れた。前記混合物がオレンジ色になったことを確認した後、１２０℃に７日間加熱した。生成物は赤黒色であり、これを４Ｎ  ＨＣｌ（１００ｍＬ）に注いで黄色沈殿物をろ過した。沈殿物を熱いＤＭＳＯで再結晶して、黄色の微細結晶２．４６０ｇ（収率：６５．１％）を得た。
【００４５】
（段階２）
反応器に、前記段階１で製造した化合物（０．２９６ｇ、１．０００ｍｍｏｌ）およびＮＨ２ＯＨ−ＨＣｌ（０．４２０ｇ、６．０ｍｍｏｌ）を入れた。水（７ｍＬ）を添加した後、８０℃に加熱した。前記混合物が透明になるまでメタノールを滴加した。反応器を硬く密封した後、１００℃に１時間加熱した。常温に冷却した後、水を添加して沈殿物を誘導し、これをろ過および水で洗浄して、明るい黄色の生成物（ｐｏｗｄｅｒ、０．３６０ｇ）を得た。
【００４６】
１Ｈ  ＮＭＲ（３００ＭＨｚ，ＤＭＳＯ−ｄ）δ１１．６０（ｓ，４Ｈ），１０．８８（ｓ，２Ｈ），８．４５（ｓ，４Ｈ），７．８３（ｓ，ｓ）
【００４７】
実施例１−１〜１−４
１）実施例１−１
先に製造例で製造した化合物（テトラオキシムビフェノール、２５ｍｇ）をＤＭＦ（０．８８ｍＬ）に溶かし、次に、トリエチルアミン（０．０２ｍＬ）を滴加して混合した溶液Ａを準備した。また、Ｃｏ（ＯＡｃ）２・４Ｈ２Ｏ（３５ｍｇ）をＤＭＦ（３．５３ｍＬ）に溶かした溶液Ｂを準備した。前記溶液Ａ（０．１ｍＬ）と前記溶液Ｂ（０．４ｍＬ）を混合してメタロゲルを製造した後、１分間超音波処理してメタロゲルの強度を増加させた。このように製造したメタロゲルを「Ｃｏｂａｌｔ  ｍｅｔａｌｌｏｇｅｌ２ｗｔ％」と名付けた。
【００４８】
２）実施例１−２〜１−４
溶液Ａおよび溶液Ｂの製造時、下記表１のようにＤＭＦの使用量を調節することを除けば、前記実施例１−１と同様の方法でメタロゲルを製造した。
【００４９】
【表１】
0006896321.tif 000008
【００５０】
実施例２−１〜２−４
１）実施例２−１
先に製造例で製造した化合物（テトラオキシムビフェノール、２５ｍｇ）をＤＭＦ（１．０９ｍＬ）に溶かし、次に、トリエチルアミン（０．０２ｍＬ）を滴加して混合した溶液Ａを準備した。また、Ｃｕ（ａｃａｃ）２（５５ｍｇ）をＤＭＦ（４．３６ｍＬ）に溶かした溶液Ｂを準備した。前記溶液Ａ（０．１ｍＬ）と前記溶液Ｂ（０．４ｍＬ）を混合してメタロゲルを製造した後、１分間超音波処理してメタロゲルの強度を増加させた。このように製造したメタロゲルを「Ｃｏｐｐｅｒ  ｍｅｔａｌｌｏｇｅｌ２ｗｔ％」と名付けた。
【００５１】
２）実施例２−２〜２−４
溶液Ａおよび溶液Ｂの製造時、下記表２のようにＤＭＦの使用量を調節することを除けば、前記実施例２−１と同様の方法でメタロゲルを製造した。
【００５２】
【表２】
0006896321.tif 000009
【００５３】
実施例３−１〜３−４
１）実施例３−１
先に製造例で製造した化合物（テトラオキシムビフェノール、２５ｍｇ）をＤＭＦ（１．０４ｍＬ）に溶かし、次に、トリエチルアミン（０．０２ｍＬ）を滴加して混合した溶液Ａを準備した。また、Ｚｎ（ａｃａｃ）２・Ｈ２Ｏ（５０ｍｇ）をＤＭＦ（４．１５ｍＬ）に溶かした溶液Ｂを準備した。前記溶液Ａ（０．１ｍＬ）と前記溶液Ｂ（０．４ｍＬ）を混合してメタロゲルを製造した後、１分間超音波処理してメタロゲルの強度を増加させた。このように製造したメタロゲルを「Ｚｉｎｃ  ｍｅｔａｌｌｏｇｅｌ２ｗｔ％」と名付けた。
【００５４】
２）実施例３−２〜３−４
溶液Ａおよび溶液Ｂの製造時、下記表３のようにＤＭＦの使用量を調節することを除けば、前記実施例３−１と同様の方法でメタロゲルを製造した。
【００５５】
【表３】
0006896321.tif 000010
【００５６】
実験例
図２のように、シリンダの内部に一定体積の、先に製造した実施例のメタロゲルを入れた。Ｏリングを装着し、クランプを用いてシステムを外部から隔離させた後、一定の流速と流量で塩化水素ガスをシリンダの内部に流した。この後、メタロゲルが溶け落ちる様子を観察しながら時間（秒）を測定した。メタロゲルが完全に溶け落ちるのにかかる時間を下記表４に示し、これをグラフ（図３）と一定の時間間隔に応じて観察したイメージを図４〜６に示した。
【００５７】
【表４】
0006896321.tif 000011
【００５８】
前記のように、短時間内に塩化水素ガスを検出することができ、メタロゲルの金属および重量％に応じて時間の差を示すことを確認することができた。したがって、このような特性を利用して酸性化合物の検出およびその感度を制御できることを確認することができる。
【００５９】
実験例２
図２のように、シリンダの内部に実施例３−２で製造した４ｗｔ％のＺｉｎｃ  ｍｅｔａｌｌｏｇｅｌ（１．２ｍＬ）を入れた。シリンダの一方の端にＯリングを装着し、シリンダの内部圧力確認のためにオイルバブラーと連結した。シリンダの他方の端にはトリフルオロ酢酸の入っている丸底フラスコとタイゴンチューブで連結した。丸底フラスコに窒素を流して、トリフルオロ酢酸蒸気がシリンダを通過するようにし、メタロゲルが溶け落ちる過程をデジタル映像で録画し、これを一定の時間間隔（２０秒）ごとにキャプチャーして図７に示した。
【図１】
0006896321.tif 000016
【図２】
0006896321.tif 000017
【図３】
0006896321.tif 000018
【図４】
0006896321.tif 000019
【図５】
0006896321.tif 000020
【図６】
0006896321.tif 000021
【図７】
0006896321.tif 000022